(57)【特許請求の範囲】
【請求項１】
軸部材を介して互いに回動可能に接続された外側板状部材及び内側板状部材と、
上記外側板状部材及び内側板状部材間に設置され上記外側板状部材及び内側板状部材の基端側を開く方向に付勢することにより上記外側板状部材及び内側板状部材の先端側を閉じる方向に付勢する弾性部材と、
上記外側板状部材の上記基端側と上記先端側の間の外側面に該外側面に向かって下り勾配になるような所定の傾斜角度で突設され帯枕が設置される帯枕設置部と、
を具備し、
上記外側板状部材の基端側の突出長さは上記内側板状部材の基端側の突出長さよりも短くなっていて上記外側板状部材の基端が上記内側板状部材の基端より引っ込んでおり、
上記外側板状部材の基端側及び上記内側板状部材の基端側は上記外側板状部材及び内側板状部材の先端側を開く際の操作部となっており、
帯結びの際適宜のタイミングで上記外側板状部材及び内側板状部材の先端側を開いて上側から上記帯を挟み込むと共に上記帯枕設置部に上記外側板状部材の基端によって支持させた状態で上記帯枕を保持するようにして使用されることを特徴とする帯結び用保持具。
【請求項２】
請求項１記載の帯結び用保持具において、
上記帯枕設置部の先端は上記外側板状部材の基端に対して外側板状部材の先端側に引っ込んでいることを特徴とする帯結び用保持具。
【請求項３】
請求項１又は請求項２記載の帯結び用保持具において、
上記外側板状部材と内側板状部材の間にはストッパが設けられており、
上記外側板状部材と内側板状部材によって上側から帯を挟み込む際、上記ストッパによりその挟み込み量を一定量に規制するようにしたことを特徴とする帯結び用保持具。
【請求項４】
請求項１〜請求項３の何れかに記載の帯結び用保持具において、
上記外側板状部材及び内側板状部材の先端側の対向面には滑り止めが設けられていることを特徴とする帯結び用保持具。
【請求項５】
帯結び前の着物の上に装着されその幅は帯の幅よりも大きく設定されていて結ばれる帯の滑りを保証するシート状補助具本体と、
上記シート状補助具本体の一方の面に設けられた固定部材と、
上記シート状補助具本体の一端側に設けられ上記固定部材に着脱可能に結合される被固定部材と、を具備し、
帯結び前に上記シート状補助具本体を着物の上に装着して上記固定部材と上記被固定部材を結合させることで着用者に装着させ帯結び後に取り除くことを特徴とする帯結び用補助具。
【請求項６】
請求項５記載の帯結び用補助具を帯結び前の着物の上に装着し、
着用者の前面において上記帯結び用補助具の外側に手先側を必要な長さだけ確保した状態で帯を巻き付け、
着用者の前面において請求項１〜請求項３の何れかに記載の帯結び用保持具によって上記帯を上側から挟み込み、
上記帯のたれを着用者側に持ち上げた後、上記たれの上から帯枕を保持した帯枕紐を巻きつけて上記帯結び用保持具の帯枕設置部に帯枕を設置した状態で上記帯枕紐を結び、
その後、上記帯のたれを使用してお太鼓を形成し、
その後、上記帯を着用者の胴体を中心に回動させることで上記お太鼓を着用者の背面側に移動させ、
その後、上記帯結び用補助具を取り除くようにしたことを特徴とする帯結び方法。
【発明の詳細な説明】
【技術分野】
【０００１】
本発明は、例えば、袋帯等の帯を結ぶ際に用いる帯結び用保持具と帯結び用補助具と帯結び方法に係り、特に、着用者の前面側においてお太鼓を容易に形成することができ、その形成したお太鼓をその形状を崩すことなく背面側に容易に移動させることができるように工夫したものに関する。
【０００２】
例えば、袋帯等を着用する際、従来は、着用者の背面側において帯のお太鼓を形成していた。そのため、着用者は手探り若しくは鏡を用いてお太鼓を形成しなければならず、意図した通りのお太鼓を形成することはきわめて困難であった。
そこで、着用者の前面側においてお太鼓を形成してそれを背面側に移動させることが考えられている。このような帯の着用方法及び補助具が、例えば、特許文献１〜特許文献４に開示されている。
また、予めお太鼓が形成された帯を着用することも考えられている。このような帯の着用方法及び補助具が、例えば、特許文献５に開示されている。
【先行技術文献】
【特許文献】
【０００３】
【特許文献１】特許第３６９７４２１号公報
【特許文献２】特開平９−６７７０９号公報
【特許文献３】特開２００４−２６３３５１号公報
【特許文献４】特許第３６７１２２１号公報
【特許文献５】特開２００８−１５６７９４号公報
【発明の概要】
【発明が解決しようとする課題】
【０００４】
上記従来の構成によると、次のような問題があった。
特許文献１記載の帯結び用補助具は、着用者の前面側でお太鼓を形成して保持するためのものであるが、帯結び用補助具の両端に設けられたバンド部を着用者の胴部に巻き付けてその端部同士を連結して固定する必要があり、使用に際して煩雑な固定作業を余儀なくされるという問題があった。
又、帯結びの際に使用する帯枕を長時間にわたって正規の状態に保持しきれないという問題があった。
また、特許文献２には、予め着用者に帯の前結び用補助具を着用させておき、その後、着用者の胴体に帯を巻いて前面側においてお太鼓を形成し、その後帯を回転させてお太鼓を着用者の背面側に移動させる帯の着用方法が開示されている。しかしながら、上記前結び用補助具はあくまで帯を滑らせるためのものであり、上記特許文献１の場合と同様に、帯枕を保持してお太鼓の形が崩れないようにするための補助具は用いられておらず、例えば、お太鼓を背面側に移動させる際にお太鼓の形が崩れてしまうという問題があった。
また、特許文献３に記載された帯結び補助具は、その構成が複雑であり着付けの作業が煩雑になってしまうという問題があった。
また、特許文献４に記載された帯結び具は、２つに折り畳んだ帯の中に挿入されることによって取り付けられるものであるため、その取付位置がずれる可能性があり、例えば、お太鼓を形成する際や背面側に移動させる際に、帯枕ひいてはお太鼓の位置がずれる可能性があった。
また、特許文献５に記載された帯の着付け補助具は、帯を着用する前に予めお太鼓を形成し、その後で帯を着用するためのものであり、この補助具の他に帯を止めるための帯止め具も必要なため、構成が複雑であった。また、補助具上でのお太鼓の形成に加え、帯止め具の帯への取り付けも必要なため、作業が煩雑となってしまうという問題があった。
【０００５】
本願発明は、このような点に基づいてなされたものであり、その目的とするところは、着用者の前面側においてお太鼓を形成してそれを着用者の背面側に移動させるまでの一連の帯結び作業を容易なものにすることができる帯結び用保持具と帯結び用補助具と帯結び方法を提供することにある。
【課題を解決するための手段】
【０００６】
上記課題を解決するべく本願発明の請求項１に記載された帯結び用保持具は、軸部材を介して互いに回動可能に接続された外側板状部材及び内側板状部材と、上記外側板状部材及び内側板状部材間に設置され上記外側板状部材及び内側板状部材の基端側を開く方向に付勢することにより上記外側板状部材及び内側板状部材の先端側を閉じる方向に付勢する弾性部材と、上記外側板状部材の上記基端側と上記先端側の間の外側面に該外側面に向かって下り勾配になるような所定の傾斜角度で突設され帯枕が設置される帯枕設置部と、を具備し、上記外側板状部材の基端側の突出長さは上記内側板状部材の基端側の突出長さよりも短くなっていて上記外側板状部材の基端が上記内側板状部材の基端より引っ込んでおり、上記外側板状部材の基端側及び上記内側板状部材の基端側は上記外側板状部材及び内側板状部材の先端側を開く際の操作部となっており、帯結びの際適宜のタイミングで上記外側板状部材及び内側板状部材の先端側を開いて上側から上記帯を挟み込むと共に上記帯枕設置部に上記外側板状部材の基端によって支持させた状態で上記帯枕を保持するようにして使用されることを特徴とするものである。
又、請求項２に記載された帯結び用保持具は、請求項１記載の帯結び用保持具において、上記帯枕設置部の先端は上記外側板状部材の基端に対して外側板状部材の先端側に引っ込んでいることを特徴とするものである。
又、請求項３に記載された帯結び用保持具は、請求項１又は請求項２記載の帯結び用保持具において、上記外側板状部材と内側板状部材の間にはストッパが設けられており、上記外側板状部材と内側板状部材によって上側から帯を挟み込む際、上記ストッパによりその挟み込み量を一定量に規制するようにしたことを特徴とするものである。
又、請求項４に記載された帯結び用保持具は、請求項１〜請求項３の何れかに記載の帯結び用保持具において、上記外側板状部材及び内側板状部材の先端側の対向面には滑り止めが設けられていることを特徴とするものである。
又、請求項５に記載された帯結び用補助具は、帯結び前の着物の上に装着されその幅は帯の幅よりも大きく設定されていて結ばれる帯の滑りを保証するシート状補助具本体と、上記シート状補助具本体の一方の面に設けられた固定部材と、上記シート状補助具本体の一端側に設けられ上記固定部材に着脱可能に結合される被固定部材と、を具備し、帯結び前に上記シート状補助具本体を着物の上に装着して上記固定部材と上記被固定部材を結合させることで着用者に装着させ帯結び後に取り除くことを特徴とするものである。
又、請求項６に記載された帯結び方法は、請求項５記載の帯結び用補助具を帯結び前の着物の上に装着し、着用者の前面において上記帯結び用補助具の外側に手先側を必要な長さだけ確保した状態で帯を巻き付け、着用者の前面において請求項１〜請求項３の何れかに記載の帯結び用保持具によって上記帯を上側から挟み込み、上記帯のたれを着用者側に持ち上げた後、上記たれの上から帯枕を保持した帯枕紐を巻きつけて上記帯結び用保持具の帯枕設置部に帯枕を設置した状態で上記帯枕紐を結び、その後、上記帯のたれを使用してお太鼓を形成し、その後、上記帯を着用者の胴体を中心に回動させることで上記お太鼓を着用者の背面側に移動させ、その後、上記帯結び用補助具を取り除くようにしたことを特徴とするものである。
【発明の効果】
【０００７】
以上述べたように、請求項１記載の帯結び用保持具によると、外側板状部材の外側面に該外側面に向かって下り勾配になるような所定の傾斜角度で突設された帯枕設置部が設けられているため、この帯枕設置部上に帯枕を設置することで安定して容易にお太鼓を形成することができる。また、外側板状部材と帯枕設置部との間に帯枕を保持されるため帯枕が着用者に対して離間することがなく、お太鼓の形状が崩れることを防止することができる。特に、帯枕の紐をきつく締めなくてもお太鼓の容易な形成や形状の維持が可能となるため、着用者の負担が大きく軽減されるものである。
また、帯結びの際適宜のタイミングで上記外側板状部材及び内側板状部材の先端側を開いて上側から上記帯を挟み込むと共に上記帯枕設置部に上記帯枕を保持するようにして使用されるため、お太鼓の形成、及び、その形状の保持が容易且つ確実に行われる。
また、請求項２記載の帯結び用保持具は、外側板状部材の基端側の突出長さは内側板状部材の基端側の突出長さよりも短くなっているため、上記帯枕設置部上において帯枕を着用者側に傾斜させた状態で設置することができ、帯枕、ひいてはお太鼓を安定して保持できると共に、美しい形状のお太鼓を形成することが可能となる。また、長い方の板状部材を着用者側に密着させることで、お太鼓を安定した状態で形成・保持することができる。
また、請求項３記載の帯結び用保持具は、内側板状部材と外側板状部材の間にはストッパが設けられており、上記内側板状部材と外側板状部材によって上側から帯を挟み込む際、上記ストッパによりその挟み込み量を一定量に規制するようにしているため、上記帯結び用保持具の回動中心に帯が干渉してしまうことを防止することができる。
また、請求項４記載の帯結び用保持具は、内側板状部材及び外側板状部材の先端側の対向面には滑り止めが設けられているため、帯を挟み込んで確実に固定することができる。
また、請求項５記載の帯結び用補助具は、シート状補助具本体が帯の滑りを保証するものであるため、まず、この帯結び用補助具を着用した後に帯を着用すれば、着用者の前面にてお太鼓を形成したあと、帯を着用者の胴体を中心にして回動させることでお太鼓を背面側に移動させる作業をスムーズに行い、且つ、お太鼓を移動させる際に形状が崩れてしまうのを防ぐことができる。
また、請求項６記載の帯結び方法によると、着用者の前面にてお太鼓の形成を行うため、お太鼓を形成する作業を行い易く、意図した形状のお太鼓を形成することができる。
また、請求項１〜請求項４の何れかに記載の帯結び用保持具を用いるため、お太鼓の形成が容易であり、且つ、お太鼓の形状が崩れるのを防ぐことができる。
また、請求項５記載の帯結び用補助具を用いるため、着用者の前面で形成したお太鼓をスムーズに、且つ、形状が崩れることなく背面側に移動させることができる。
【図面の簡単な説明】
【０００８】
【図１】本願発明の第１の実施の形態を示す図で、帯結び用保持具を示す斜視図である。
【図２】本願発明の第１の実施の形態を示す図で、帯結び用保持具を示す側面図である。
【図３】本願発明の第１の実施の形態を示す図で、帯結び用保持具を示す正面図である。
【図４】本願発明の第１の実施の形態を示す図で、帯結び用保持具を示す平面図である。
【図５】本願発明の第１の実施の形態を示す図で、帯結び用補助具を示す平面図である。
【図６】本願発明の第１の実施の形態及び第２の実施の形態を示す図で、帯結び方法を示す斜視図であって帯結び用補助具を着用者の胴体に装着した状態を示す図である。
【図７】本願発明の第１の実施の形態を示す図で、帯結び方法を示す斜視図であり、袋帯を二つ折りにし、着用者の右肩に帯の手先部分を掛け、着用者の胴体に一周だけ巻き、着用者の前面側中央にて、袋帯を帯結び用保持具で挟んで固定した状態を示す図である。
【図８】本願発明の第１の実施の形態を示す図で、図８（ａ）は帯結び方法を示す斜視図であって袋帯を着用者の胴体に二巻きした状態を示す図、図８（ｂ）は図８（ａ）のｂ−ｂ断面図である。
【図９】本願発明の第１の実施の形態を示す図で、帯結び方法を示す斜視図であり、帯結び用保持具を一時的に取り外し、袋帯の手を下側に下ろし、袋帯のたれ先側を着用者の左肩に掛けた状態を示す図である。
【図１０】本願発明の第１の実施の形態を示す図で、帯結び方法を示す斜視図であり、着用者の前面側中央にて再び袋帯を帯結び用保持具で挟んで固定した状態を示す図である。
【図１１】本願発明の第１の実施の形態を示す図で、帯結び方法を示す斜視図であり、袋帯のたれ側を開いて捻り、表側（柄のある側）を上に向けた状態を示す図である。
【図１２】本願発明の第１の実施の形態を示す図で、帯結び方法を示す斜視図であり、開いたたれを着用者の前面側にて帯結び用保持具を覆うよう持ち上げた状態を示す図である。
【図１３】本願発明の第１の実施の形態を示す図で、帯結び方法を示す斜視図であり、開いたたれを着用者の左肩に掛け、長さ方向に二つ折りにした状態を示す図である。
【図１４】本願発明の第１の実施の形態を示す図で、帯結び方法を示す斜視図であり、二つ折りにしたたれの上から帯結び用保持具の帯枕設置部に帯揚げに包んだ帯枕を設置した状態を示す図である。
【図１５】本願発明の第１の実施の形態を示す図で、帯結び方法を示す斜視図であり、長さ方向に二つ折りにしたたれの折り目を内側に折り込み、且つ、たれ先を下側に露出させ、たれを折り込んだ内側に仮ひもを通し仮止めした状態を示す図である。
【図１６】本願発明の第１の実施の形態を示す図で、帯結び方法を示す斜視図であり、袋帯の手先側を着用者の右側から内側に折り込んだたれの中に通し、手先を着用者の左側に露出させた状態を示す図である。
【図１７】本願発明の第１の実施の形態を示す図で、帯結び方法を示す斜視図であり、内側に折り込んだたれの中に帯締めを通し、仮止めした状態を示す図である。
【図１８】本願発明の第１の実施の形態を示す図で、帯結び方法を示す斜視図であり、お太鼓を着用者の背面側に移動させようとする状態を示す図である。
【図１９】本願発明の第１の実施の形態を示す図で、帯結び方法を示す斜視図であり、お太鼓を着用者の背面側に移動させた状態を示す図である。
【図２０】本願発明の第１の実施の形態を示す図で、帯結び方法によるお太鼓の構成を示す断面図である。
【図２１】本願発明の第２の実施の形態を示す図で、帯結び方法を示す斜視図であり、着用者の右肩に名古屋帯の手先部分を掛け、着用者の胴体に一周だけ巻き、着用者の前面側中央にて、名古屋帯を帯結び用保持具で挟んで固定した状態を示す図である。
【図２２】本願発明の第２の実施の形態を示す図で、図２２（ａ）は帯結び方法を示す斜視図で、名古屋帯を着用者の胴体に二巻きした段階を示す図、図２２（ｂ）は図２２（ａ）のｂ−ｂ断面図である。
【図２３】本願発明の第２の実施の形態を示す図で、帯結び方法を示す斜視図であり、帯結び用保持具を一時的に取り外し、名古屋帯の手を下側に下ろし、名古屋帯のたれ先側を着用者の左肩に掛けた状態を示す図である。
【図２４】本願発明の第２の実施の形態を示す図で、帯結び方法を示す斜視図であり、着用者の前面側中央にて再び名古屋帯を帯結び用保持具で挟んで固定した状態を示す図である。
【図２５】本願発明の第２の実施の形態を示す図で、帯結び方法を示す斜視図であり、名古屋帯のたれ部分を開いた状態を示す図である。
【図２６】本願発明の第２の実施の形態を示す図で、帯結び方法を示す斜視図であり、名古屋帯のたれを帯結び用保持具で固定した側において捻った状態を示す図である。
【図２７】本願発明の第２の実施の形態を示す図で、帯結び方法を示す斜視図であり、表側を着用者側に向けた状態で名古屋帯のたれを持ち上げて帯結び用保持具を覆い、たれの上から帯結び用保持具の帯枕設置部に帯枕を乗せた状態を示す図である。
【図２８】本願発明の第２の実施の形態を示す図で、帯結び方法を示す斜視図であり、名古屋帯のたれを下ろし、内側に折り込み、決め線の内側に仮ひもを通して仮止めした状態を示す図である。
【図２９】本願発明の第２の実施の形態を示す図で、帯結び方法を示す斜視図であり、名古屋帯の手先側を折り込んだたれの内側に通して固定した状態を示す図である。
【図３０】本願発明の第２の実施の形態を示す図で、帯結び方法を示す斜視図であり、お太鼓の中に帯締めを通して仮止めした状態を示す図である。
【図３１】本願発明の第２の実施の形態を示す図で、帯結び方法を示す斜視図であり、お太鼓部分を着用者の背面側に移動させようとする状態を示す図である。
【図３２】本願発明の第２の実施の形態を示す図で、帯結び方法を示す斜視図であり、お太鼓部分を着用者の背面側に移動させた状態を示す図である。
【図３３】本願発明の第２の実施の形態を示す図で、帯結び方法によって形成されたお太鼓の構成を示す断面図である。
【発明を実施するための形態】
【０００９】
以下、図１〜図２０を使用して、本願発明の第１の実施の形態について説明する。
【００１０】
まず、本実施の形態による帯結び用保持具１について説明する。
この帯結び用保持具１には、図１〜図４に示すように、まず、外側板状部材３ａと内側板状部材３ｂがある。又、図１〜図３に示すように、上記外側板状部材３ａは上記内側板状部材３ｂよりも短く、上記外側板状部材３ａの上端が上記内側板状部材３ｂの上端よりも引っ込んでいる。
【００１１】
上記外側板状部材３ａの中央より上端側に所定量寄った位置には、Ｌ字形部材５ａ、５ａが水平方向（図２中紙面垂直方向）に向かい合った状態でそれぞれ設けられている。また、上記内側板状部材３ｂの中央より上端側に所定量寄った位置にも、Ｌ字形部材５ｂ、５ｂが水平方向（図２中紙面垂直方向）に向かい合った状態で設けられている。上記Ｌ字形部材５ａ、５ａや上記Ｌ字形部材５ｂ、５ｂは、固定用ネジ６によって上記外側板状部材３ａや上記内側板状部材３ｂに固定されている。また、上記Ｌ字形部材５ａ、５ａや上記Ｌ字形部材５ｂ、５ｂの上記外側板状部材３ａ、３ｂに対して垂直になっている部分には図示しない貫通孔が連通した状態で設けられている。
【００１２】
また、上記Ｌ字形部材５ａ、５ａ、及び上記Ｌ字形部材５ｂ、５ｂの図示しない貫通孔にはネジ７が貫通・配置されている。このネジ７は、外側に配置された上記Ｌ字形部材５ａ、５ａの貫通孔に螺合・固定され、内側に配置された上記Ｌ字形部材５ｂ、５ｂの貫通孔に対しては固定されないようになっている。そのため、上記外側板状部材３ａと上記内側板状部材３ｂは上記ネジ７を中心にして互いに回動可能に接続されていることになる。
なお、上記Ｌ字形部材５ａ、５ａが上記Ｌ字形部材５ｂ、５ｂよりも外側になるように配置されており、上記Ｌ字形部材５ａ、５ａの上記外側板状部材３ａと平行な部分は外側を向き、上記Ｌ字形部材５ｂ、５ｂの上記内側板状部材３ｂと平行な部分は内側を向いているので、上記外側板状部材３ａ、３ｂを回動させたとき、上記Ｌ字形部材５ａと上記Ｌ字形部材５ｂが互いに干渉しないようになっている。
【００１３】
また、上記ネジ７を貫通して、弾性部材としてのコイルばね９が設置されている。上記コイルばね９は、上記外側板状部材３ａや上記内側板状部材３ｂの基端側（図２中上側）に延長された端部によって上記外側板状部材３ａ及び上記内側板状部材３ｂをその先端側（図２中下側）を近接させる方向に常時回動・付勢している。
なお、上記外側板状部材３ａと上記内側板状部材３ｂの基端側を手等によって押圧・操作し、上記コイルばね９の弾性力に抗して上記外側板状部材３ａ、３ｂの先端側が開くようにすることができ、それによって後述する帯を上記外側板状部材３ａと上記内側板状部材３ｂとの間の先端側に挟み込むことができるものである。
【００１４】
また、上記外側板状部材３ａの上記内側板状部材３ｂ側の面上であり、上記Ｌ字形部材５ａ、５ａより先端側（図２中下側）近傍には、ストッパ１１が設置されている。
【００１５】
また、上記外側板状部材３ａの反内側板状部材３ｂ側の面であって上記ストッパ１１の近傍には板状の帯枕設置部１３が接着・固定されている（固定は接着に限定されずネジ止め等でも良い。  ）。この帯枕設置部１３は、上記外側板状部材３ａに対して、所定の傾斜角度α°（この実施の形態の場合にはα°＝６０°）で傾斜した状態で設置されている。上記帯枕設置部１３は、図２に示すように、上記外側板状部材３ａの外側面に向かって図中左側から右側に向かって下り勾配になるように設置されており、図２中上側の面に後述する帯枕が設置されることになる。
【００１６】
また、上記外側板状部材３ａの内側板状部材３ｂ側の面にはシート状滑り止め部材１５ａが設けられている。また、上記内側板状部材３ｂの外側板状部材３ａ側の面にもシート状滑り止め部材１５ｂが設けられている。上記シート状滑り止め部材１５ａ、１５ｂは、例えば、シリコン等の摩擦係数が大きく、且つ、帯等の生地を傷めない素材から構成されている。又、上記シート状滑り止め部材１５ａ、１５ｂは、図２に示すように、上記外側板状部材３ａや上内側板状部材３ｂの先端から上記ストッパ１１の直下に至る範囲で設けられている。
なお、本実施の形態の場合には、シリコン製のシート状滑り止め部材１５ａ、１５ｂを使用している。
【００１７】
次に、本実施の形態における帯結び用補助具１７について説明する。この帯結び用補助具１７は帯の滑りを保証するためのものであり、まず、図５に示すように、略長方形形状のシート状補助具本体１９を有する。このシート状補助具本体１９は着物や帯の生地との間の摩擦係数が小さい素材から構成されている。
具体的には、例えば、「サテン」等の使用が考えられる。「サテン」とは、絹、ナイロン、ポリウレタン、アセテート、ポリエステル等の糸を使用して織った織物である。勿論、サテン以外であっても滑り易くすることが可能な材料であれば良い。
又、図５に示すように、上記シート状補助具本体１９の長手方向一端（図５中右側端）の上記シート状補助具本体１９の幅方向両端には、例えば、平板状のゴム紐からなる２本のバンド２１、２１が設けられおり、これらバンド２１、２１は上記シート状補助具本体１９の長さ方向（図５中左右方向）に延長されている。又、上記バンド２１、２１の先端であって図５中上側の面には被固定部材としての平面ファスナ２３、２３が設けられている。
【００１８】
また、図５に示すように、上記シート状補助具本体１９には固定部材としての平面ファスナ２５、２５が設けられている。上記平面ファスナ２３と上記平面ファスナ２５とは互いに着脱可能に貼り合わせることができるようになっており、上記帯結び用補助具１７を筒状にし、上記平面ファスナ２３、２３と上記平面ファスナ２５、２５とを貼り合わせることにより上記帯結び用補助具１７を筒状に保持することができる。上記平面ファスナ２５、２５は、着用者の胴体寸法に応じて、上記シート状補助具本体１９の幅方向両端それぞれの適所に貼り付けられるものである。すなわち、上記平面ファスナ２５、２５の背面側に貼り付けられている図示しないテープを剥がし、上記シート状補助具本体１９において着用者の胴体寸法に応じた適所に貼り付け・固定するものである。  また、上記平面ファスナ２３の上記平面ファスナ２５上における貼付位置を調整することによっても様々な胴回り寸法の着用者に対応することができる。
既に説明したように、上記バンド２１、２１はゴム紐であり、その弾性力によって長さ方向（図５中左右方向）に収縮可能であり、そのため、上記帯結び用補助具１７は上記着用者の胴体を適宜締め付けるようにして固定される。
【００１９】
次に、作用を説明する。
まず、図６〜図２０を用いて、上記帯結び用保持具１と上記帯結び用補助具１７を用いた袋帯の帯結び方法について説明する。
まず、図６に示すように、着物２６を着用した着用者２７の胴体に上記帯結び用補助具１７のシート状補助具本体１９を巻き付ける。その際、上記帯結び用補助具１７は、上記平面ファスナ２３、２３と上記平面ファスナ２５、２５とを上記着用者２７の胴体に巻き付けたシート状補助具本体１９の外側にて貼り合わせることにより筒状に保持された状態となって固定されている。このとき、上記バンド２１、上記平面ファスナ２３、２５は外側に位置しており、上記シート状補助具本体１９の上記バンド２１、２１側の端が上記着用者２７の前面の正中線付近に位置するようになっている。
また、上記バンド２１、２１は、例えば、ゴムひものような弾性力により収縮する部材であるため、上記帯結び用補助具１７は上記着用者２７の胴体を適宜締め付けるようにして固定される。
【００２０】
次に、図７に示すように、袋帯２９の手先２９ａ側を上記着用者２７の右肩に掛けた状態で、上記袋帯２９を上記着用者２７の胴体に上記着用者２７からみて反時計回りに一巻きする。そして、上記袋帯２９を上記着用者２７の前面側の正中線付近において上記帯結び用保持具１によって図７中上から挟み込み、上記袋帯２９を上記着用者２７の胴体に一巻きした状態で固定する。
なお、上記袋帯２９は幅方向に中心から略均等に二つ折りにした状態になっており、折り目側を図７中下側に向けて上記着用者２７の胴体に巻き付けられる。
また、上記袋帯２９の手先２９ａ側は、後述するお太鼓の内部に挿入されることになるが、その際、お太鼓の中に略収まる程度の長さ分だけ、上記袋帯２９の上記着用者２７の胴体に巻きつけられた部分から引き出された状態となっている。
【００２１】
次に、図８（ａ）に示すように、上記袋帯２９を上記着用者２７の胴体にさらに一巻きし、上記袋帯２９のたれ２９ｂを上記着用者２７の前面側に位置させる。そして、図８（ｂ）に示すように、上記着用者２７の背面側の上記袋帯２９の一巻き目と二巻き目の間に、帯板３１を挿入する。
【００２２】
次に、図９に示すように、一時的に上記帯結び用保持具１を取り外し、上記袋帯２９のたれ２９ｂ側を上記着用者２７の左肩に掛け、上記袋帯２９の手先２９ａ側を図９中下側に下ろす。このようにして、上記袋帯２９を締める。
【００２３】
そして、図１０に示すように、一旦外した帯結び用保持具１を上記袋帯２９に再度取り付ける。このとき、上記帯結び用保持具１は帯枕設置部１３側を反着用者２７側に向け、上記外側板状部材３ａと上記内側板状部材３ｂによって上記袋帯２９の一巻き目と二巻き目を上から挟み込むようにする。
【００２４】
次に、図１１に示すように、上記袋帯２９のたれ２９ｂ側を上記着用者２７の前面中央付近から開いて二つ折りの状態から折り畳まれていない状態とする。そして、上記袋帯２９の開いた部分の根元部分を捻って、上記たれ２９ｂの表側（柄のある側）を図１２中上側に向ける。
【００２５】
次に、図１２に示すように、上記着用者２７の前面側において、上記帯結び用保持具１を覆うようにして、上記たれ２９ｂを持ち上げる。このとき、上記袋帯２９を捻った根本部分も上記たれ２９ｂによって隠れるようにする。
【００２６】
次に、図１３に示すように、上記たれ２９ｂを長さ方向に二つ折りにした状態で上記着用者２７の左肩に掛ける。このとき、上記たれ２９ｂのたれ先（先端）は、上記袋帯２９の上記着用者２７の胴体に巻いた部分の下端（図１３中符号２９ｃで示す）よりも、所定の距離（図１３中符号ｈで示す）だけ下に位置するようにする。
【００２７】
そして、図１４に示すように、帯揚げ３２に包んだ帯枕３３を設置し、上記帯揚げ３２の両端を上記着用者２７の背面側に回して結び、仮止めしておく。上記帯枕３３は帯枕紐３４に包まれていて、それを上記帯揚げ３２によってさらに包んでいるものである。また、上記帯枕３３は、図２０中左側の平らな面を上記着用者２７側に向けて、上記着用者２７側に傾斜させた状態で設置される。
このとき、図１４及び図２０に示すように、上記たれ２９ｂが上記帯結び用保持具１の帯枕設置部１３側の形状に沿うようになっており、上記帯枕３３及び上記帯揚げ３２は二つ折りにした上記たれ２９ｂの上から上記帯結び用保持具１の帯枕設置部１３の上に設置されることになる。
また、上記袋帯２９の手先２９ａ側は、上記着用者２７の胴体の右側（図１３中左側）に移動させておき、例えば、図示しない和装用クリップによって一時的に固定しておく。
【００２８】
次に、図１５に示すように、上記着用者２７の左肩に掛けていた上記たれ２９ｂを、上記帯枕３３と上記帯揚げ３２を覆うようにして、図１５中下側に下ろす。そして、図１５中下に下ろした上記たれ２９ｂの二つ折りになった部分の先端側を内側へと折り込む。このようにして、立ち上がり３５（上記たれ２９の内側に折り込まれた部分の図１５中上端）と決め線３７（上記たれ２９の外側から内側に折り曲げた部分の図１５中下端）を形成する。
また、図１５に示すように、上記たれ２９ｂの上記決め線３７で折り込まれた内側に仮紐３９を通し、上記着用者２７の背面側に回して両端側を結び、上記袋帯２９を仮止めする。
【００２９】
次に、図１６に示すように、上記着用者２７の右側（図１６中左側）に移動させていた上記袋帯２９の手先２９ａ側を、二つ折りになった先端部分を内側へ折り込んだ上記たれ２９ｂの外側部分と内側に折り込まれた部分との間に挿入する。そして、上記袋帯２９の手先２９ａの先端を、上記たれ２９ｂの図１６中右側に、例えば、２ｃｍほど突出させた状態にする。また、上記手先２９ａの上記たれ２９ｂを折り込んだ部分の図１６中左側に余った部分については、例えば、二つ折りに畳んで上記たれ２９ｂを折り込んだ部分に差し込んで、形状を整える。
【００３０】
次に、図１７に示すように、上記たれ２９ｂを折り込んだ内側と挿入された上記手先２９ａの反着用者２７側の隙間に帯締め４３を通して上記着用者２７の背面側に回して両端側を結び、仮止めしておく。このようにして、お太鼓４１が完成する。
なお、上記お太鼓４１は、図２０の断面図に示すような構造となっている。
【００３１】
次に、図１８に示すように、上記袋帯２９の図１７中上側を右手で持ち、上記袋帯２９の図１７中下側を左手で持ち、上記袋帯２９を上記着用者２７の胴体の周りに上記着用者２７から見て時計回りに回転させることにより上記お太鼓４１を上記着用者２７の背面側に移動させる。上記お太鼓４１の上記着用者２７の背面側への移動が完了すると、図１９に示すような状態となる。
【００３２】
そして、上記帯結び用補助具１７を取り除き、仮止めしておいた上記帯揚げ３２の両端を解き、上記帯揚げ３２内部にある上記帯枕３３の帯枕紐３４を結ぶ。それによって、帯枕３３や帯締め用保持具１を上記着用者２７の背中に密着させるようにする。又、仮止めしておいた上記帯締め４３を上記着用者２７の前面において締め直して上記仮紐３９を取り除く。その後、上記帯揚げ３２の両端側を上記着用者２７の胴体に巻いた上記袋帯２９の内側に差し込んで袋帯２９の帯結びが完了する。
なお、上記帯結び用補助具１７の除去は、上記袋帯２９と上記帯結び用補助具１７との間に手を挿入し、平面ファスナ２３、２３と平面ファスナ２５、２５とを引き剥がした後、上記帯結び用補助具１７を外側へと引き出すことによって行われる。
【００３３】
次に、上記帯結び方法の実施に使用した帯結び用保持具１の作用を詳細に説明する。
まず、外側板状部材３ａと内側板状部材３ｂとは回動可能に接続されており、コイルばね９によって上記外側板状部材３ａと上記内側板状部材３ｂの基端側が常時付勢され、互いの先端側が近接する方向に回動・付勢されるようになっている。そのため、通常、上記帯結び用保持具１の他端側は閉じた状態となっている。
例えば、上記外側板状部材３ａと上記内側板状部材３ｂの基端側を手で押さえ、上記コイルばね９の弾性力に抗して上記外側板状部材３ａと上記内側板状部材３ｂの基端が互いに近接するように操作すれば、上記外側板状部材３ａと上記内側板状部材３ｂの先端側が互いに離間するように回動させることができる。それによって、上記帯結び用保持具１の先端側を開き、上記外側板状部材３ａと上記内側板状部材３ｂとの間に、袋帯２９を挟み込んで固定するものである。
【００３４】
また、上記外側板状部材３ａの反内側板状部材３ｂ側の面には帯枕設置部１３が設けられており、この帯枕設置部１３上に帯枕３３が間接的に設置される（実際には間に袋帯２９のたれ２９ｂが存在する）。また、上記帯枕３３は上記帯枕設置部１３と上記外側板状部材３ａとの間に設置されることになり、それによって、帯枕３３の不用意な落下が防止され、帯枕３３を長時間にわたって所定の位置に保持することが可能になる。
【００３５】
また、上記外側板状部材３ａの内側板状部材３ｂ側の面にはストッパ１１が設けられている。このストッパ１１によって、外側板状部材３ａと上記内側板状部材３ｂとの間に袋帯２９を挟んで固定する際、上記袋帯２９が上記外側板状部材３ａと上記内側板状部材３ｂとの回動中心であるネジ７やＬ字型部材５ａ、５ｂに接触することを防ぎ、袋帯２９が不用意に損傷してしまうことを防止することができる。
【００３６】
また、上記外側板状部材３ａにはシート状滑り止め部材１５ａが設けられており、又、上記内側板状部材３ｂにもシート状滑り止め部材１５ｂが設けられている。これら、シート状滑り止め部材１５ａ、１５ｂによって、外側板状部材３ａと上記内側板状部材３ｂとの間に袋帯２９を挟んで固定する際、上記袋帯２９を確実に保持することができるものである。
【００３７】
次に、上記帯結び方法の実施に使用した帯結び用補助具１７の作用について詳細に説明する。
すなわち、上記帯結び用補助具１７のシート状補助具本体１９は上記袋帯２９や着物２６との摩擦係数が小さい素材で構成され、着用者２７の着物２６と上記袋帯２９との間に介在されており、上記着用者２７の前面において形成したお太鼓４１を背面側へ移動させる際、上記袋帯２９が上記着用者２７の胴体の外周面において滑り易いようにしている。
また、バンド２１、２１は弾性力によって収縮するため、上記帯結び用補助具１７は上記着用者２７の胴体に巻きつけられ、且つ、上記着用者２７の胴体を適宜締め付けるようにして固定されるものである。
また、平面ファスナ２３、２５を貼り合わせることにより、上記帯結び用補助具１７は筒状になり、上記着用者２７の胴体に巻きつけられた状態で保持される。
【００３８】
以上本実施の形態によると次のような効果を奏することができる。
まず、本実施の形態における帯結び用保持具１によると次のような効果を奏することができる。
まず、帯結び時に袋帯２９を一巻き、二巻きする際、その巻いた状態を上記帯結び用保持具１によってしっかりと保持することができる。又、袋帯２９を二巻きにした状態でお太鼓４１を形成する際にも、袋帯２９の状態及びお太鼓４１の位置及び状態を確実に保持することができる。
また、上記外側板状部材３ａには所定の傾斜角度α°（この実施の形態の場合には６０度）で帯枕設置部１３が設けられていて、帯枕３３はこの帯枕設置部１３上に設置される構成になっているので、帯枕３３の不用意な落下等を防止して帯枕３３を所定の位置に確実に保持することができる。
また、所定の傾斜角度α°（この実施の形態の場合には６０度）で設けられた帯枕設置部１３上に帯枕３３が設置される構成になっていて、帯枕３３の上端部が着用者２７の背中側に近接するように傾いた状態になっているので、帯枕紐３４をきつく結ぶことなく帯枕３３の所望の取付状態を得ることができる。
因みに、従来は帯枕３３を着用者２７の背中側に密着させるために帯枕紐３４をきつく結ぶ必要があり、その為、着用者２７が不快を感じていたが、本実施の形態の場合にはそのような不快感を一掃することができる。
【００３９】
また、上記外側板状部材３ａの基端側の突出長さが上記内側板状部材３ｂの基端側の突出長さよりも短くなっているため、上記帯枕３３を上記着用者２７側に傾斜させた状態で設置することができ、上記帯枕３３、ひいては上記お太鼓４１を安定して保持できると共に、美しい形状の上記お太鼓４１を形成することが可能となる。
また、着用者２７の背中側に位置する帯結び用保持具１の内側板状部材３ｂは外側板状部材３ａよりも長くてより広い接地面積を備えているので、帯結び用保持具１をより安定した状態で取り付けることができる。また、このことにより、帯結び用保持具１を利用して形成されるお太鼓４１についても安定した状態で保持することができる。
【００４０】
また、上記外側板状部材３ａの先端側にはシート状滑り止め部材１５ａが設けられているとともに上記内側板状部材３ｂの先端側にもシート状滑り止め部材１５ｂが設けられているので、帯結び時に一巻き或いは二巻きされた袋帯２９を確実に保持することができる。
また、上記シート状滑り止め部材１５ａ、１５ｂはシリコンなどの摩擦係数が高くて生地を傷つけない素材でできているため、袋帯２９を不用意に傷めてしまうこともない。
【００４１】
また、上記外側板状部材３ａの内側板状部材３ｂ側の面にはストッパ１１が設けられており、上記袋帯２９を上記帯結び用保持具１によって挟んだ際に上記袋帯２９がネジ７やＬ字型部材５ａ、５ｂに接触し、例えば、巻き込まれて傷むようなことを防止することができる。同時にネジ７やＬ字型部材５ａ、５ｂに袋帯２９が接触することにより、それらの機能が不用意に損なわれてしまうことを防止することができる。又、帯枕２９の上端が上記ストッパ１１に当接するまで上記帯結び用保持具１を差し込むことにより帯枕設置部１３を所定の位置に位置させることができる。これは所望の帯結びを実現する上で効果的なことである。
【００４２】
次に、本実施の形態における帯結び用補助具１７によると次のような効果を奏することができる。
まず、上記帯結び用補助具１７のシート状補助具本体１９は上記袋帯２９や着物２６との摩擦係数が小さい素材で構成されているため、上記着用者２７の前面側において形成したお太鼓４１を背面側へ移動させる際、上記袋帯２９が上記着用者２７の胴体の外周面のおいて滑り易く、容易に回転・移動させることができる。
このように滑り易くなっているので、帯結びが完了した後上記帯結び用補助具１７を上記着用者２７の胴体と上記袋帯２９との間から除去する作業も行い易いものである。
また、上記帯結び用補助具１７は、収縮可能なバンド２１、２１を使用して着用者２７の胴体周りにある程度の締付力を持って取り付けられるように構成されているので、帯結び用補助具１７が帯結び時に不用意に脱落するようなこともない。
【００４３】
さらに、本実施の形態による帯結び方法によると以下のような効果を奏することができる。
まず、着用者２７の胴体に袋帯２９を二巻きした状態で帯結び用保持具１によって挟んで固定するため、上記二巻きした状態の袋帯２９を確実に固定することができる。又、上記帯結び用保持具１自身も上記袋帯２９の所定位置に対して確実に固定されることになる。それによって、お太鼓４１を所定の位置に高品質で形成することが可能になる。
また、上記着用者２７の前面側においてお太鼓４１を形成するため、意図した通りの形状のお太鼓４１を容易に形成することができる。
また、上記袋帯２９に固定した上記帯結び用保持具１に、上記袋帯２９のたれ２９ｂ側を被せ、その上から上記帯結び用保持具１の帯枕設置部１３上に帯枕３３を設置してお太鼓４１を形成するようにしているので、お太鼓４１ を所定の位置に容易に形成することができ、又、形成されたお太鼓４１の形状も崩れ難いものとなる。
また、帯枕紐３４をきつく結ぶことなく、お太鼓４１の形成やその形状の維持が可能となるため、着用者２７への負担を軽減することができる。
【００４４】
また、上記着用者２７の着物２６と上記袋帯２９との間に帯結び用補助具１７が介挿されているため、着用者２７の前面側で形成したお太鼓４１を着用者２７の背面側に移動させる作業も行い易くなっている。また、この作業を円滑に行うことによってお太鼓４１の形状の崩れを防止することができる（滑りが悪い場合には回転させる途中でお太鼓４１の形状が崩れてしまうことが懸念される。）。
【００４５】
次に、図６、図２１〜図３３を用いて、本願発明の第２の実施の形態について説明する。前記第１の実施の形態の場合には、帯として袋帯を使用し、且つ、お太鼓を二重にした場合を例に挙げて説明したが、この第２の実施の形態の場合には、帯として名古屋帯を使用し、且つ、お太鼓を一重にした場合を示すものである。
なお、前記第１の実施の形態の場合と同一部分には同一の符号を付して示しその説明は省略する。
【００４６】
以下、図６、及び、図２１〜図３３を用いて、本実施の形態による帯結び方法について説明する。
まず、図６に示すように、前述した第１の実施の形態における帯結び方法の場合と同様に、着物２６を着た着用者２７の胴体に帯結び用補助具１７を装着する。
【００４７】
次に、図２１に示すように、名古屋帯４５の手先４５ａ側を上記着用者２７の右肩に掛けた状態で、上記名古屋帯４５を上記着用者２７の胴体に上記着用者２７から見て反時計回りに一巻きする。そして、上記名古屋帯４５を上記着用者２７の前面側の正中線付近において上記帯結び用保持具１によって図２１中上から挟み込み、上記名古屋帯４５を上記着用者２７の胴体に一巻きした状態で固定する。
なお、図２５に示すように、上記名古屋帯４５は幅方向に中心から均等に二つ折りにした構造になっており、上記手先４５ａ側においては二つ折りにしたことで近接した上記名古屋帯４５の幅方向両端が縫い合わされているが、たれ４５ｂ側（反手先側）においては縫い合わされておらず二つ折りになった部分を開くことができるようになっている。そして、上記名古屋帯４５は開くことのできる側を図２１中上側に向けて上記着用者２７の胴体に巻き付けられる。
また、上記名古屋帯４５の手先４５ａ側は、後述するお太鼓の内部に略収まる程度の長さに調整されていて、上記名古屋帯４５の上記着用者２７の胴体に巻き付けられた部分から引き出された状態となっている。
【００４８】
次に、図２２（ａ）に示すように、上記名古屋帯４５を上記着用者２７の胴体にさらに一巻きし、上記名古屋帯４５のたれ４５ｂを上記着用者２７の前面側に位置させる。そして、図２２（ｂ）に示すように、上記着用者２７の背面側の上記名古屋帯４５の一巻き目と二巻き目の間に、帯板３１を挿入する。
なお、この図２２（ａ）に示した状態では、上記名古屋帯４５のたれ４５ｂ側の開くことができる部分の手先側の端（図２２（ａ）中符号４５ｃで示す）が、上記着用者２７の前面の正中線付近に位置するようになっている。
【００４９】
次に、図２３に示すように、一次的に上記帯結び用保持具１を取り外し、上記名古屋帯４５のたれ４５ｂ側を上記着用者２７の左肩に掛け、上記名古屋帯４５の手先４５ａ側を図２３中下側に下ろす。このようにして、上記名古屋帯４５を締める。
【００５０】
そして、図２４に示すように、再び上記帯結び用保持具１を上記名古屋帯４５に取り付ける。このとき、上記帯結び用保持具１は帯枕設置部１３側を反着用者２７側に向け、上記外側板状部材３ａと上記内側板状部材３ｂによって上記名古屋帯４５の一巻き目と二巻き目を上から挟み込むようにする。
【００５１】
次に、図２５に示すように、上記名古屋帯４５のたれ４５ｂ側を開く。前述したように上記名古屋帯４５は２つ折りになっており、上記たれ４５ｂ側は縫い合わされていないため、２つ折りになっている部分を開くことができるようになっている。
なお、二つ折り構造の上記名古屋帯４５の外側は柄が表わされているが、内側は柄が表わされていない。以下、この柄の表わされた側を表側とするとともに、柄が表わされていない側を裏側とし、図２５以降の図面中では、この裏側部分を淡色で塗り潰して表示する。
また、図２５に示すように、上記名古屋帯４５のたれ４５ｂ側を開いた状態では、上記たれ４５ｂ側の裏側が図１１中上側に露出されることになる。
【００５２】
そして、図２６に示すように、上記名古屋帯４５のたれ４５ｂ側を捻って、表側（柄のある側）を図２６中上側に向ける。
【００５３】
次に、図２７に示すように、上記名古屋帯４５のたれ４５ｂ側を持ち上げ、上記帯結び用保持具１を覆う。このとき、上記名古屋帯４５のたれ４５ｂ側の表側（柄のある側）を上記着用者２７側に向けた状態となっている。また、上記帯結び用保持具１を上記名古屋帯４５のたれ４５ｂ側によって覆う際、上記名古屋帯４５が上記帯結び用保持具１の帯枕設置部１３側の形状に沿うようにする。
【００５４】
そして、図２７に示すように、帯揚げ３２に包んだ帯枕３３を設置し、上記帯揚げ３２の両端を上記着用者２７の背面側に回して結び、仮止めしておく。上記帯枕３３は、図３３中左側の平らな面を上記着用者２７側に向けて、上記着用者２７側に傾斜させた状態で設置される。
このとき、上記帯枕３３及び上記帯揚げ３２は、図２７及び図３３に示すように、上記たれ４５ｂの上から上記帯結び用保持具１の帯枕設置部１３の上に設置されている。
また、上記名古屋帯４５の手先４５ａ側は、上記着用者２７の胴体の右側（図２７中左側）に移動させておき、例えば、図示しない和装用クリップによって一時的に固定しておく。
【００５５】
次に、持ち上げた状態の上記たれ４５ｂを図２７中下側に下ろし、上記帯枕３３及び上記帯揚げ３２を覆う。そして、図２８に示すように、上記名古屋帯４５のたれ４５ｂのたれ先（たれ４５ｂ先端部分）を図２８中下側に露出させた状態で、上記たれ４５ｂを内側に折り込む。このようにして、立ち上がり３５（上記たれ４５の内側に折り込まれた部分の図２８中上端）と決め線３７（上記たれ４５の外側から内側に折り曲げた部分の図２８中下端）を形成する。また、図２８に示すように、上記たれ４５ｂの上記決め線３７で折り込まれた内側に仮紐３９を通し、上記着用者２７の背面側に回して両端側を結び、上記名古屋帯４５を仮止めする。
【００５６】
次に、図２９に示すように、上記着用者２７の右側（図２８中左側）に移動させていた上記名古屋帯４５の手先４５ａ側を、上記たれ４５ｂの一番外側の部分と上記決め線３７で内側に折り返した部分との間の隙間に挿入する。そして、上記名古屋帯４５の手先４５ａの先端を、上記たれ４５ｂの図２９中右側に、例えば、２ｃｍほど突出させた状態にする。また、上記手先４５ａの上記たれ４５ｂを折り込んだ部分の図１６中左側に余った部分については、例えば、二つ折りに畳んで上記たれ４５ｂを折り込んだ部分に差し込んで、形状を整える。
【００５７】
次に、図３０に示すように、上記たれ４５ｂの一番外側の部分と上記挿入した手先４５ａとの間の隙間に帯締め４３を通して上記着用者２７の背面側に回して両端側を結び、仮止めしておく。このようにして、お太鼓４１が完成する。
なお、上記お太鼓４１は、図３３の断面図に示すような構造となっている。
【００５８】
次に、図３１に示すように、上記名古屋帯４５の図３１中上側を右手で持ち、上記名古屋帯４５の図３１中下側を左手で持ち、上記名古屋帯４５を上記着用者２７の胴体の周りに上記着用者２７から見て時計回りに回転させることにより上記お太鼓４１を上記着用者２７の背面側に移動させる。上記お太鼓４１の上記着用者２７の背面側への移動が完了すると、図３２に示すような状態となる。
【００５９】
そして、上記帯結び用補助具１７を取り除き、仮止めしておいた上記帯揚げ３２の両端を解き、上記帯揚げ３２内部にある上記帯枕紐３４を結んで帯枕３３と帯結び用保持具１を上記着用者２７の背中に密着させるようにすると共に、仮止めしておいた上記帯締め４３を上記着用者２７の前面において締め直し、上記仮紐３９を取り除く。その後、上記帯揚げ３２の両端側を、上記着用者２７の胴体に巻いた上記名古屋帯４５の内側に挿入して収納すると、上記名古屋帯４５の帯結びが完了する。
なお、上記帯結び用補助具１７の除去は、上記名古屋帯４５と上記帯結び用補助具１７との間に手を挿入し、平面ファスナ２３、２３と平面ファスナ２５、２５とを引き剥がした後、上記帯結び用補助具１７を外側へと引き出すことによって行われる。
【００６０】
本実施の形態によっても、前述した第１の実施の形態と同様の作用・効果を奏することができる。
【００６１】
なお、本発明は、前記第１の実施の形態及び第２の実施の形態に限定されない。
例えば、前記第１、第２の実施の形態においては、袋帯２９や名古屋帯４５を使用した場合を例に挙げて説明したが、その他の種類の帯を結ぶ際にも、本発明による帯結び用保持具、帯結び用補助具、帯結び方法を適用することができる。
また、前記第１、第２の実施の形態の場合には、着用者からみて右側に帯の手先をとって帯を反時計方向に巻いていったがこれに限定されるものではない。着用者からみて帯の手先を左側にとって帯を時計方向に巻いて行っても良い。この場合には巻かれる帯の表裏が逆になる。このように、帯の巻く方向を適宜逆向きにすることにより、二つ折にした帯の両面を適宜表に出すことができ、帯表面の消耗を平均化させることができる。  
また、上記帯結び用補助具１７の平面ファスナ２３と平面ファスナ２５は、シート状補助具本体１９を着用者２７に巻きつけた外側で結合されるものであったが、上記シート状補助具本体１９の内側で結合される場合も考えられる。
また、本発明による帯結び用保持具や帯結び用補助具の各部の形状や寸法としては様々なものが考えられる。
また、前記第１、第２の実施の形態の場合には、帯を胴周りに二巻きした後にお太鼓を形成する場合を例に挙げて説明したが、これを一巻きとしてもよい。例えば、胴回り寸法が大きくなった場合には帯を胴周りに一巻きした後にお太鼓を形成することもある。このような場合においても、本発明による帯結び用保持具、帯結び用補助具、帯結び方法を適用することができる。
その他、図示した構成はあくまで一例である。
【産業上の利用可能性】
【００６２】
本発明は、例えば、帯を結ぶ際に用いる帯結び用保持具と帯結び用補助具と帯結び方法に係り、特に、着用者の前面においてお太鼓を容易に形成することができ、その形成したお太鼓をその形状を崩すことなく容易に背面側に移動させることができるように工夫したものに関し、例えば、袋帯を使用した着付けに好適である。
【符号の説明】
【００６３】
１  帯結び用保持具
３ａ  外側板状部材
３ｂ  内側板状部材
９  コイルばね（弾性部材）
１１  ストッパ
１３  帯枕設置部
１５ａ  滑り止め
１５ｂ  滑り止め
１７  帯結び用補助具
１９  シート状補助具本体
２３  平面ファスナ（被固定部材）
２５  平面ファスナ（固定部材）
２６  着物
２７  着用者
２９  袋帯
２９ａ  手先
２９ｂ  たれ
３３  帯枕
３９  仮紐
４１  お太鼓
４３  帯締め
４５  名古屋帯
４５ａ  手先
４５ｂ  たれ
【図１】
0005765703.tif 000002
【図２】
0005765703.tif 000003
【図３】
0005765703.tif 000004
【図４】
0005765703.tif 000005
【図５】
0005765703.tif 000006
【図６】
0005765703.tif 000007
【図７】
0005765703.tif 000008
【図８】
0005765703.tif 000009
【図９】
0005765703.tif 000010
【図１０】
0005765703.tif 000011
【図１１】
0005765703.tif 000012
【図１２】
0005765703.tif 000013
【図１３】
0005765703.tif 000014
【図１４】
0005765703.tif 000015
【図１５】
0005765703.tif 000016
【図１６】
0005765703.tif 000017
【図１７】
0005765703.tif 000018
【図１８】
0005765703.tif 000019
【図１９】
0005765703.tif 000020
【図２０】
0005765703.tif 000021
【図２１】
0005765703.tif 000022
【図２２】
0005765703.tif 000023
【図２３】
0005765703.tif 000024
【図２４】
0005765703.tif 000025
【図２５】
0005765703.tif 000026
【図２６】
0005765703.tif 000027
【図２７】
0005765703.tif 000028
【図２８】
0005765703.tif 000029
【図２９】
0005765703.tif 000030
【図３０】
0005765703.tif 000031
【図３１】
0005765703.tif 000032
【図３２】
0005765703.tif 000033
【図３３】
0005765703.tif 000034